(57)【特許請求の範囲】
【請求項１】
複数のコンテンツを取得し、取得した複数のコンテンツの同時記録が可能であり、かつ、取得した１以上のコンテンツを外部出力する記録装置において、
取得したコンテンツを外部の表示装置へ表示出力する表示出力手段と、
外部出力していないコンテンツの記録状況情報を取得する記録状況情報取得手段と、
取得した記録状況情報を、外部出力していないコンテンツの記録状況情報であることを示す情報とともに、上記表示出力手段が表示出力するコンテンツに重畳させて表示する記録状況表示制御手段とを備えることを特徴とする記録装置。
【請求項２】
上記記録状況情報を表示する表示モニタを備えることを特徴とする請求項１に記載の記録装置。
【請求項３】
取得したコンテンツを外部の表示装置へ表示出力する表示出力手段と、
上記表示出力手段が出力していないコンテンツの記録を制御する記録制御手段と備えることを特徴とする請求項１に記載の記録装置。
【請求項４】
複数のコンテンツを取得し、取得した複数のコンテンツの同時記録が可能であり、かつ、取得した１以上のコンテンツを外部出力する記録装置の制御方法において、
取得したコンテンツを外部の表示装置へ表示出力する表示出力ステップと、
外部出力していないコンテンツの記録状況情報を取得する状況情報取得ステップと、
取得した記録状況情報を、外部出力していないコンテンツの記録状況情報であることを示す情報とともに、上記表示出力ステップにて表示出力するコンテンツに重畳させて表示する記録状況表示制御ステップとを含むことを特徴とする記録装置の制御方法。
【請求項５】
請求項１〜３の何れか１項に記載の記録装置を動作させるための制御プログラムであって、コンピュータを上記記録装置における上記各手段として機能させるための記録装置制御プログラム。
【請求項６】
請求項５に記載の記録装置制御プログラムが記録されたコンピュータ読み取り可能な記録媒体。
【発明の詳細な説明】
【技術分野】
【０００１】
本発明は、複数のコンテンツを同時に記録する記録装置、記録装置の制御方法、記録装置制御プログラム、およびコンピュータ読み取り可能な記録媒体に関するものである。
【背景技術】
【０００２】
近年、ＣＳ放送やＢＳ放送などのデジタル放送信号を記録（以下では録画という）する記録媒体として、従来のビデオテープに代わって記録容量が大きいＨＤＤ（Ｈａｒｄ  Ｄｉｓｋ  Ｄｒｉｖｅ）や、ＤＶＤ（Ｄｉｇｉｔａｌ  Ｖｅｒｓａｔｉｌｅ  Ｄｉｓｋ）、ＢＤ（Ｂｌｕ−Ｒａｙ  Ｄｉｓｋ）などの光ディスクなどを用いた録画再生装置（記録再生装置）が提供されている。このような録画再生装置の中には、記録媒体に複数のチューナー（チューナ）を用いて複数のコンテンツを同時に録画可能な録画再生装置の商品化が進んでいる。
【０００３】
なお、本願発明に関連する先行技術文献としては、次の特許文献１がある。
【０００４】
特許文献１には、同時録再や同時録画などの機能を搭載したディスク録画再生装置が記載されている。
【特許文献１】特開２００３−２２４８１３号公報（公開日：平成１５年８月８日）
【発明の開示】
【発明が解決しようとする課題】
【０００５】
ここで、従来の録画再生装置では、複数のコンテンツの同時録画において、レコーダ１、レコーダ２、・・・のようにレコーダを並列に分けているが、実際には実装されている機能が違うことが多い。そのため、録画を行っているユーザ以外が、どのレコーダでどの番組がどのように録画されているかを即時に判断するのは容易ではない。
【０００６】
また、従来の録画再生装置では、複数のコンテンツの同時録画において、テレビジョンなどの外部モニタに出力されていないコンテンツ（放送番組）、いわゆる裏番組の録画中に、裏番組の録画についての操作を行うには、まずモニタに出力中のコンテンツを記録しているレコーダ１から裏番組を録画しているレコーダ２への切り替え操作の必要がある。例えば、裏番組の録画停止をするために、まず裏番組を録画しているレコーダに切り替えを行い、録画停止ボタンを押し、出力しているレコーダに再び切り替えるといった操作である。よって、従来の録画再生装置では、操作に無駄が生じている。また、このような操作により、裏番組の録画に対する操作中は、モニタには裏番組が表示されることになるので、ユーザは、もともと視聴していたコンテンツの視聴を一時中断しなければならない。
【０００７】
本発明は、上記の問題点に鑑みてなされたものであり、その目的は、外部出力していないコンテンツの記録状況をユーザにわかりやすく表示することができる記録装置を実現することにある。
【課題を解決するための手段】
【０００８】
本発明に係る記録装置は、上記課題を解決するために、複数のコンテンツを取得し、取得した複数のコンテンツの同時記録が可能であり、かつ、取得した１以上のコンテンツを外部出力する記録装置において、外部出力していないコンテンツの記録状況情報を取得する状況情報取得手段と、取得した記録状況情報を、外部出力していないコンテンツの記録状況情報であることを示す情報とともに表示する記録状況表示制御手段とを備えることを特徴としている。
【０００９】
また、本発明に係る記録装置の制御方法は、上記課題を解決するために、複数のコンテンツを取得し、取得した複数のコンテンツの同時記録が可能であり、かつ、取得した１以上のコンテンツを外部出力する記録装置の制御方法において、外部出力していないコンテンツの記録状況情報を取得する状況情報取得ステップと、取得した記録状況情報を、外部出力していないコンテンツの記録状況情報であることを示す情報とともに表示する記録状況表示制御ステップとを含むことを特徴としている。
【００１０】
上記構成および上記方法によると、外部出力されていないコンテンツの記録状況情報が、外部出力されていないコンテンツの記録状況情報であることを示す情報とともに表示される。よって、上記構成および上記方法によると、ユーザは、テレビジョンなどのモニタに外部出力されていないコンテンツ、いわゆる裏番組の記録状況を、裏番組であることがはっきりわかった状態で、確認することができる。
【００１１】
ここで、コンテンツとは、放送・ネットワーク配信・ＤＶＤなどの各種メディアなどに含まれる情報のことを指すものである。すなわち、コンテンツは映像・音声・番組情報などの情報の総称であり、例としては、アンテナで受信する放送の情報、ネットワークを介して配信される情報、ＤＶＤやＢＤに記録された映像や音声などの情報、外部からｉＬｉｎｋ（登録商標）など経由して入力される映像や音声などの情報などが挙げられる。
【００１２】
また、外部出力とは、外部のテレビジョンなどのモニタに表示することだけでなく、本発明の記録装置がモニタと記録装置とが一体型の装置である場合にはそのモニタに表示することも含む。また、外部出力には自装置とは別の記録装置に出力する（記録させる）ことも含むものとする。
【００１３】
記録状況情報は、例えば、記録を行っているか否かの情報、記録が始まってからどのくらいの時間経っているか、後どれだけの時間記録できるかなどの記録時間の情報、記録している番組名や番組内容などの電子番組表（Electronic Program Guide：以下ＥＰＧと称す）から得られる情報であってもよい。なお、これらは単なる例示であり、これら以外の記録状況を示す情報であってもかまわない。
【００１４】
また、外部出力されていないコンテンツの記録状況情報であることを示す情報は、例えば、裏番組記録中に点灯する発光装置の発光情報であってもよい。点灯することで、裏番組であることを示すことができる。もちろん発光情報は例であり、外部出力されていないコンテンツの記録状況情報であることを示す情報が、他の情報であってもよい。
【００１５】
以上のように、上記構成および上記方法によると、外部出力していないコンテンツの記録状況をユーザにわかりやすく表示することができる。このような、外部出力されていないコンテンツの記録状況情報が、外部出力されていないコンテンツの記録状況情報であることを示す情報とともに、外部出力されているコンテンツの記録情報と並列に表示されると、ユーザは、即座にはっきりと、どのレコーダでどの番組がどのように記録されているかを判断することができる。いわゆる裏番組の記録情報と、外部出力中のコンテンツ（表番組とする）の記録情報とを区別して表示できるので、ユーザに記録に関する情報をわかりやすく表示することができる。
【００１６】
また、本発明の記録装置は、再生機能が備えられている記録再生装置の構成の一部であってもよい。
【００１７】
また、本発明に係る記録装置は、上記構成に加え、上記記録状況情報を表示する表示モニタを備えていてもよい。
【００１８】
上記構成によると、記録装置に備えられている表示モニタにて、外部出力していないコンテンツの記録状況情報を、外部出力していないコンテンツの記録状況情報であることを示す情報と共に表示することができる。よって、ユーザは、記録装置上にて、外部出力されていないコンテンツの記録状況情報をはっきり確認することができる。
【００１９】
また、本発明に係る記録装置は、上記構成に加え、取得したコンテンツを外部の表示装置へ表示出力する表示出力手段と、上記記録状況表示制御手段は、上記外部出力していないコンテンツの記録状況情報を、上記表示出力手段が表示出力するコンテンツに重畳させて上記表示装置に表示させるものであってもよい。
【００２０】
上記構成によると、外部の表示装置に表示出力されたコンテンツに重ねて、外部出力していないコンテンツの記録状況情報を、表示することができる。よって、ユーザは、表示出力されたコンテンツ（表番組）を視聴したまま、裏番組の記録状況を確認することができる。表番組の表示を一時でも中断することがないため、ユーザは、表番組の内容を視聴し続けたまま、快適に裏番組の記録状況を確認することができる。
【００２１】
また、本発明に係る記録装置は、上記構成に加え、取得したコンテンツを外部の表示装置へ表示出力する表示出力手段と、上記表示出力手段が出力していないコンテンツの記録を制御する記録制御手段とを備えていてもよい。
【００２２】
上記構成によると、外部の表示装置に表示出力されたコンテンツが視聴中や記録中であっても、それには影響せずに、つまり、外部の表示装置に、表示出力手段が出力していないコンテンツいわゆる裏番組を出力させることなく、裏番組の記録を制御することができる。
【００２３】
よって、ユーザは、快適に、表示出力されたコンテンツ（表番組）を表示させたまま、裏番組の記録状況を確認して裏番組の記録に対する操作を行うことができる。裏番組の記録に対する操作とは、例えば記録停止、記録開始、記録一時停止などが挙げられるがこれらに限定はされない。また、表番組を表示させたまま、裏番組記録に対する操作を直接行うことができることで、従来のようなレコーダ切り替えの操作の手間を省くことができる。
【００２４】
また、上記記録装置は、コンピュータによって実現してもよく、この場合には、コンピュータを上記記録装置における上記各手段として動作させることにより上記記録装置をコンピュータにて実現させる記録装置制御プログラム、及びその記録装置制御プログラムを記録したコンピュータ読み取り可能な記録媒体も、本発明の範疇に入る。
【００２５】
これらの構成によれば、記録装置制御プログラムを、コンピュータに読み取り実行させることによって、上記記録装置と同一の作用効果を実現することができる。
【発明の効果】
【００２６】
本発明に係る記録装置は、以上のように、外部出力していないコンテンツの記録状況情報を取得する記録状況情報取得手段と、取得した記録状況情報を、外部出力していないコンテンツの記録状況情報であることを示す情報とともに表示する記録状況表示制御手段とを備えている。
【００２７】
上記構成によると、外部出力されていないコンテンツの記録状況情報が、外部出力されていないコンテンツの記録状況情報であることを示す情報とともに表示される。よって、上記構成および上記方法によると、ユーザは、テレビジョンなどのモニタに外部出力されていないコンテンツ、いわゆる裏番組の記録状況を、裏番組であることがはっきりわかった状態で、確認することができる。
【００２８】
以上のように、上記構成によると、外部出力していないコンテンツの記録状況をユーザにわかりやすく表示することができる。このような、外部出力されていないコンテンツの記録状況情報が、外部出力されていないコンテンツの記録状況情報であることを示す情報とともに、外部出力されているコンテンツの記録情報と並列に表示されると、ユーザは、即座にはっきりと、どのレコーダでどの番組がどのように記録されているかを判断することができる。いわゆる裏番組の記録情報と、外部出力中のコンテンツ（表番組とする）の記録情報とを区別して表示できるので、ユーザに記録に関する情報をわかりやすく表示することができる。
【発明を実施するための最良の形態】
【００２９】
（実施の形態１）
本発明の一実施形態について図１〜図３に基づいて説明すると以下の通りである。なお、本実施形態では、２つチューナを用いて放送を受信する記録装置について説明するが、これはあくまで一例であって、本発明がこれに限定されないことは言うまでもない。例えば、チューナの数は３以上であってもよい。また、コンテンツを入力するために、アンテナおよびチューナに加えて、あるいはその代わりに、コンテンツをネットワークを介して受信するための通信インターフェイスや、ＤＶＤなどの各種メディアを再生する再生装置と接続するための入力端子を備えていてもよい。もちろん、他の実施形態についても同様である。
【００３０】
図１は、本実施形態の記録装置１０１の構成の概略を示すブロック図である。記録装置１０１は、放送受信部１０２、システム制御部１０３、記録部１０４、ＯＳＤ（On Screen display）生成部１０５、映像処理部（表示出力手段）１０６、ＬＥＤ（発光ダイオード）１０７、およびフロントパネル（表示モニタ）１０８を備えている。
【００３１】
放送受信部１０２は、アンテナを介して受信した放送信号からチューナにより選局されている放送ストリームデータを受信する。ここで、ストリームは、連続して伝送される複数のパケットより構成される。そして、放送ストリームデータとは、符号化されたパケットの中にあるデータのことを指すものである。パケットの中には映像や音声や番組情報などのデータはもちろん、映像データや音声データの格納情報や、デコードされた映像と音声を出力する際に同期させるための同期情報などが含まれる。また、コンテンツとは、ストリームが放送受信部１０２によって処理された後、出力されたものや録画されたものである。すなわち、放送のデータを、受信前の状態では「ストリーム」、受信後の状態では「コンテンツ」と区別して呼ぶこととする。
【００３２】
本実施形態では、コンテンツＡおよびコンテンツＢをそれぞれ別のチューナから受信しているものとする。ここで、コンテンツとは、放送・ネットワーク配信・ＤＶＤなどの各種メディアなどに含まれる情報のことを指すものである。本実施形態では、記録装置１０１は、２つのコンテンツ（コンテンツＡおよびコンテンツＢ）を同時録画可能であるものとするが、３つ以上のコンテンツを同時録画できるようになっていてもよい。本実施形態では、記録装置１０１は、コンテンツの録画を行うものであるので、記録を録画として説明する。
【００３３】
システム制御部１０３は、記録装置１０１における各種構成の動作を統括的に制御する。システム制御部１０３は、放送ストリームデータのエンコードやデコード、ユーザのリモコン操作などによるユーザの要求の受信とその制御、放送ストリームデータに含まれる映像・音声・番組情報などのデータの制御など、記録装置１０１全体のシステムの制御を行う。
【００３４】
また、システム制御部１０３は、記録状況情報取得部（記録状況情報取得手段）１１３、記録状況表示制御部（記録状況表示制御手段）１２３、記録制御部（記録制御手段）１３３として機能する。
【００３５】
記録状況情報取得部１１３は、テレビジョンなどの外部モニタに出力していないコンテンツの記録状況情報（録画状況情報）を取得する。ここで、記録状況情報は、例えば、録画を行っているか否かの情報、録画が始まってからどのくらいの時間経っているかや後どれだけの時間録画できるかなどの録画時間の情報、録画している番組名や番組内容などの電子番組表（Electronic Program Guide：以下ＥＰＧと称す）から得られる番組情報であってもよい。なお、これらは単なる例示であり、これら以外の録画状況を示す情報であってもかまわない。
【００３６】
記録状況表示制御部１２３は、記録状況情報取得部１１３が取得した記録状況情報を、外部出力していないコンテンツの記録状況情報であることを示す情報とともに表示する。
【００３７】
記録制御部１３３は、コンテンツＡの録画に対しての制御と、コンテンツＢの録画に対しての制御を行う。コンテンツＡの録画に対する制御部とコンテンツＢに対する制御をそれぞれ行う記録制御部が設けられていてもよい。録画に対する制御とは、例えば、録画の開始、停止、一時停止などが挙げられるがこれらに限定されることはない。
【００３８】
これら、記録状況情報取得部１１３、記録状況表示制御部１２３、記録制御部１３３の詳細な動作は後述する。
【００３９】
記録部１０４には、放送受信部１０２により受信したコンテンツが記録される。記録部１０４は、例えばＨＤＤやＤＶＤなどからなる。
【００４０】
ＯＳＤ生成部１０５は、ユーザの要求やコンテンツの番組情報などを示すためのＯＳＤを生成する。
【００４１】
ＬＥＤ１０７は、システム制御部１０３による制御で点灯するものである。
【００４２】
映像処理部１０６は、放送受信部が受信したコンテンツ（テレビ番組）の映像信号を所定のフォーマットの映像データへ変換して、テレビジョンなどの外部モニタに表示させる処理を行う。また、映像処理部１０６は、コンテンツの映像とＯＳＤ生成部１０５にて生成されたＯＳＤを合成して、出力映像を生成する。
【００４３】
フロントパネル１０８は、例えば、液晶パネルなどから構成されている。フロントパネル１０８は、システム制御部１０３からの制御により、記録状況情報を表示する。
【００４４】
図２は、記録装置１０１を備えた記録再生装置２０１の外形の一例を示す。本実施形態では、本発明の記録装置を、再生機能を備えた記録再生装置２０１の構成に含まれるものとして説明するが、もちろん、再生機能を有しておらず記録のみ行える装置であってもよい。
【００４５】
記録再生装置２０１は、上記した記録装置１０１の機能の他に記録再生装置としての一般的な機能を備えているものとする。記録装置１０１を含む記録再生装置２０１には、外部出力映像を表示するテレビジョン（外部の表示装置）２０２が接続されている。また、記録再生装置２０１は、リモートコントローラー（以下リモコンと略す）２０３により操作が行われる。なお、リモコンによる操作だけでなく、記録再生装置２０１に設けられたスイッチやボタンなどにより直接操作できるようになっていてもよい。
【００４６】
リモコン２０３は、記録再生装置２０１を操作するために供されるユーザインターフェースである。ユーザは、リモコン２０３を操作することで、例えば、所望のコンテンツの記録の開始や停止、ＯＳＤ表示の指示などの操作を行うことができる。このリモコン２０３は、記録再生装置２０１の他にテレビジョン２０２を操作できるようになっていてもよい。
【００４７】
記録装置１０１において、放送受信部１０２で受信されたコンテンツＡを記録部１０４に記録し、かつ、コンテンツＡをテレビジョン２０２に表示出力しているときに、ユーザがリモコン２０３などによって、表示出力および録画しているコンテンツＡの裏番組である、別のコンテンツＢの録画要求をシステム制御部１０３に行う場合を考える。
【００４８】
このとき、システム制御部１０３は、コンテンツＢの放送を受信するように放送受信部１０２を制御する。放送受信部１０２はコンテンツＢの放送を受信し、受信された放送は記録制御部１３３にて制御され、コンテンツＢは記録部１０４に記録される。記録状況表示制御部１２３はコンテンツＢの記録開始と同時に、ＬＥＤ１０７を点灯させて、テレビジョン２０２に表示出力されていない、いわゆる裏番組の録画をユーザ（視聴者）に通知する。裏番組の録画中、ＬＥＤ１０７は点灯し続け、ユーザはリモコン２０３などによって裏番組の録画の停止の要求を記録装置１０１に行うと、記録制御部１３３はコンテンツＢの記録部１０４への記録を停止する制御を行う。この停止の制御と同時に、記録状況表意制御部は、ＬＥＤ１０７を消灯させる。
【００４９】
ここで、ＬＥＤ１０７の一例を図３示す。図３に示すように、現在表示出力中の放送ネットワークを示すＬＥＤ３０１と、表示出力されている番組が録画されていることを示すＬＥＤ３０２と、裏番組が録画されていることを示すＬＥＤ３０３とが備えられている。図３では、ＢＳ放送を表示出力かつ録画中であることを示している。このとき、裏番組の録画を開始すると裏番組の録画であることがわかる裏番組録画用のＬＥＤ３０３が点灯し、裏番組の録画が終了すると裏番組録画用のＬＥＤ３０３は消灯する。なお、裏番組が録画されていることを示す発光装置はＬＥＤだけでなく、他の発光装置でよく、また、ＬＥＤの設置位置は図３に示す一例に限定されるものではない。
【００５０】
記録再生装置２０１では以上のように、外部出力されていないコンテンツの記録状況情報が、外部出力されていないコンテンツの記録状況情報であることを示す情報とともに表示される。本実施形態では、外部出力されていないコンテンツの記録状況情報であることを示す情報は、裏番組録画中に点灯するＬＥＤ１０７の発光情報である。点灯することで、裏番組（コンテンツＢ）であることを示すことができる。もちろん発光情報は例であり、外部出力されていないコンテンツの記録状況情報であることを示す情報が、他の情報であってもよい。
【００５１】
ユーザは、テレビジョン２０２に表示出力されていないコンテンツＢ、いわゆる裏番組の録画状況を、裏番組であることがはっきりわかった状態で、確認することができる。
【００５２】
以上のように、記録再生装置２０１によると、外部出力していないコンテンツの記録状況をユーザにわかりやすく表示することができる。このような、外部出力されていないコンテンツの記録状況情報が、外部出力されていないコンテンツの記録状況情報であることを示す情報とともに、外部出力されているコンテンツの記録情報と並列に表示されると、ユーザは、即座にはっきりと、どのレコーダでどの番組がどのように録画されているかを判断することができる。いわゆる裏番組の記録情報と、外部出力中のコンテンツ（表番組とする）の記録情報とを区別して表示できるので、ユーザに記録に関する情報をわかりやすく表示することができる。
【００５３】
（実施の形態２）
本実施の形態の記録装置は、図１に示した実施の形態１の記録装置と同様であり、また、本実施の形態の記録再生装置は、図２に示した実施の形態１の記録再生装置と同様である。よって、同じ部材には同じ部材番号を付し説明は省略するものとする。
【００５４】
記録装置１０１において、放送受信部１０２で受信されたコンテンツＡを記録部１０４に記録し、かつ、コンテンツＡをテレビジョン２０２に表示出力しているときに、ユーザがリモコン２０３などによって、表示出力および録画しているコンテンツＡの裏番組である、別のコンテンツＢの録画要求をシステム制御部１０３に行う場合を考える。
【００５５】
システム制御部１０３はコンテンツＢの放送を受信するように放送受信部１０２を制御する。放送受信部１０２はコンテンツＢの放送を受信し、受信された放送はシステム制御部１０３にて制御され、コンテンツＢを記録部１０４に記録する。記録状況表示制御部１２３は、記録制御部１０３によるコンテンツＢの記録開始と同時に、フロントパネル１０８に裏番組の録画が開始したことを示す情報（メッセージ）を表示させる。
【００５６】
裏番組の録画中はユーザがリモコン２０３などによって、フロントパネル１０８の表示切り替えの要求を記録装置１に行ったとする。要求を受信すると、録画状況情報取得部１１３は、コンテンツＢのデータ部分や録画状況に関する情報から必要な情報である記録状況情報を取得し、記録状況表示制御部１２３は、記録状況情報をフロントパネル１０８に表示させる。また、ユーザがリモコン２０３などによって裏番組録画の停止の要求を記録装置１に行ったとする。記録制御部１３３はコンテンツＢの記録部１０４への記録を停止する制御を行うと同時に、記録状況表示制御部１２３は、フロントパネル１０８に裏番組の録画終了のメッセージを表示させる。
【００５７】
図４にフロントパネル１０８の、各録画状態における表示の一例を示す。録画開始時の表示４０１と、録画中の各表示４０２〜４０５と、録画終了時の表示４０６が示されている。録画開始時の表示４０１では、録画モード、録画状態、記録媒体の順に情報が表示される。録画中のタイトル表示４０２では、録画番組のタイトルが表示される。録画中のネットワーク表示４０３では、録画モード、放送局、チャンネルの情報が表示される。裏番組の場合は、通常録画と区別するために「裏」が表示される。録画中の記録時間表示４０４では、録画モード、録画経過時間の順に情報が表示される。裏番組の場合は、通常録画と区別するために「裏」が表示される。録画中の記録部における記録の残時時間表示４０５では、録画モード、前記録画モードにおける記録媒体の録画可能時間の順に情報が表示される。録画終了時の表示４０６では、停止の表示、記録媒体の順に情報が表示される。録画中の各表示４０２〜４０５の切り替えは、リモコン２０３の表示切り替えボタンを惜しく出すことで行われるものとする。
【００５８】
なお、録画開始時の表示４０１、録画中の各表示４０１〜４０６、録画終了時の表示４０６、の表示位置や表示内容は図４に示す一例に限定されるものではない。
【００５９】
（実施の形態３）
本実施の形態の記録装置は、図１に示した実施の形態１の記録装置と同様であり、また、本実施の形態の記録再生装置は、図２に示した実施の形態１の記録再生装置と同様である。よって、同じ部材には同じ部材番号を付し説明は省略するものとする。
【００６０】
記録装置１０１において、放送受信部１０２で受信されたコンテンツＡを記録部１０４に記録し、コンテンツＡをテレビジョン２０２に表示出力し、さらに、放送受信部１０２で受信されたコンテンツＢを記録部１０４に記録している、つまり、コンテンツＡとコンテンツＢとを同時録画中であるとする。この同時録画中に、ユーザがリモコン２０３などによって、番組情報を含む記録状況情報の表示をシステム制御部１０３に要求する場合を考える。
【００６１】
記録状況表示制御部１２３は、記録状況情報取得部１１３から記録状況情報を受信し、番組情報（録画コンテンツのデータ部分から取得）や録画状況を表示するＯＳＤデータ作成をＯＳＤ生成部１０５に要求する。ＯＳＤ生成部１０５にて作成されたＯＳＤデータは映像処理部１０６において、視聴しているコンテンツＡの映像と合成されて外部に出力される。
【００６２】
出力された映像とＯＳＤデータは、テレビジョン２０２に表示される。図５および図６は、テレビジョン２０２のＯＳＤ領域２１２に表示されるＯＳＤデータの一例である。ユーザ操作により、コンテンツＡ（視聴録画中のコンテンツ）の番組情報５０１と、コンテンツＢ（裏番組録画中のコンテンツ）の番組情報５０２が表示される。コンテンツＡの番組情報とコンテンツＢの番組情報が切り替え可能に表示されるようになっていてもよい。このときも、出力中のコンテンツＡの出力は中断されることなく（コンテンツＢの出力に換えられることなく）、コンテンツＢの番組情報５０２が表示される。
【００６３】
また、ＯＳＤ領域２１２には、図６に示すように、記録部１０４の情報である記録部情報５０３が表示されてもよい。ここで、記録部情報とは、例えば、記録部１０４で記録できる残量や、現在録画しているコンテンツの録画経過時間や、裏番組として録画しているコンテンツの録画経過時間などであってもよいが、これらに限定されることはない。
【００６４】
もちろん、コンテンツＡの番組情報５０１、コンテンツＢの番組情報５０２、記録部情報５０３がＯＳＤ領域２１２に同時に表示されるようになっていてもよいし、ばらばらに表示されてもよい。
【００６５】
ユーザは、リモコン２０３の番組情報表示ボタンや記録部情報表示ボタンを押して、コンテンツＡの番組情報５０１とコンテンツＢの番組情報５０２や、記録部情報５０３をＯＳＤとしてテレビジョン２０２に表示させる。なお、テレビジョン２０２でのＯＳＤ領域２１２の表示位置や、ＯＳＤ領域２１２内での番組情報５０１、５０２や記録部情報５０３の表示位置や番組情報や記録部情報の内容は図に示す一例に限定されるものではない。
【００６６】
（実施の形態４）
本実施の形態の記録装置は、図１に示した実施の形態１の記録装置と同様であり、また、本実施の形態の記録再生装置は、図２に示した実施の形態１の記録再生装置と同様である。よって、同じ部材には同じ部材番号を付し説明は省略するものとする。
【００６７】
コンテンツＡとコンテンツＢとを同時録画中で、コンテンツＡをテレビジョン２０２に表示しているとする。このような中、ユーザがリモコン２０３あるいは記録再生装置２０１設けられた操作ボタン（図示せず）によって、コンテンツＢのみを操作する要求をシステム制御部１０３に行うと、この要求に基づき、記録制御部１３３は、コンテンツＢに対する要求を受け付ける。一方で、コンテンツＡの録画は続行する。そして、コンテンツＢに対する要求を受け付けた際に、システム制御部１０３は、テレビジョン２０２に、コンテンツＡの表示を行ったままである。
【００６８】
このように、コンテンツＡを視聴かつ録画して、コンテンツＢを裏番組として録画しているときに、リモコン２０３などを用いて例えば裏番組の録画を停止するための裏録停止ボタンが押されると、コンテンツＡを視聴かつ録画したまま、コンテンツＢの録画を停止することができる。本実施の形態では裏番組の録画停止の一例についてのみ説明したが、これに限定されることはなく、裏番組の録画開始や裏番組の録画一時停止など、裏番組の直接操作に関する場合も含む。
【００６９】
このように、本実施形態の記録再生装置２０１は、テレビジョン２０２に表示されたコンテンツＡが視聴中や録画中であっても、テレビジョン２０２に裏番組であるコンテンツＢを出力させることなく、コンテンツＢの録画を制御することができる。よって、ユーザは、快適に、コンテンツＡをテレビジョン２０２に表示させたまま、コンテンツＢの録画状況を確認してコンテンツＢの録画に対する操作を行うことができる。録画に対する操作とは、例えば録画停止、録画開始、録画一時停止などが挙げられるがこれらに限定はされない。また、コンテンツＡを表示させたまま、コンテンツＢｎｏ録画に対する操作を直接行うことができることで、従来のようなレコーダ切り替えの操作の手間を省くことができる。
【００７０】
以上の各実施形態は単なる例であり、各部の構成や表示方法やデザインなどは上記したものに限定されない。つまり、本発明は上述した各実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【００７１】
最後に、記録装置１０１の各ブロック、特にシステム制御部１０３は、ハードウェアロジックによって構成してもよいし、次のようにＣＰＵを用いてソフトウェアによって実現してもよい。
【００７２】
すなわち、記録装置１０１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリなどの記憶装置（記録媒体）などを備えている。そして、本発明の目的は、上述した機能を実現するソフトウェアである記録装置１０１の制御プログラムのプログラムコード（実行形式プログラム、中間コードプログラム、ソースプログラム）をコンピュータで読み取り可能に記録した記録媒体を、上記記録装置１０１に供給し、そのコンピュータ（またはＣＰＵやＭＰＵ）が記録媒体に記録されているプログラムコードを読み出し実行することによっても、達成可能である。
【００７３】
上記記録媒体としては、例えば、磁気テープやカセットテープなどのテープ系、フロッピー（登録商標）ディスク／ハードディスクなどの磁気ディスクやＣＤ−ＲＯＭ／ＭＯ／ＭＤ／ＤＶＤ／ＣＤ−Ｒなどの光ディスクを含むディスク系、ＩＣカード（メモリカードを含む）／光カードなどのカード系、あるいはマスクＲＯＭ／ＥＰＲＯＭ／ＥＥＰＲＯＭ／フラッシュＲＯＭなどの半導体メモリ系などを用いることができる。
【００７４】
また、記録装置１０１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網などが利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網などの無線でも利用可能である。なお、本発明は、上記プログラムコードが電子的な伝送で具現化された、搬送波に埋め込まれたコンピュータデータ信号の形態でも実現され得る。
【００７５】
また、本発明は次のような記録再生装置として表現してもよい。すなわち、本発明に係る記録再生装置は、複数コンテンツの同時録画の機能を有し、現在視聴していないコンテンツ（裏番組）の録画状況やコンテンツ情報を表示する記録再生装置、として表現してもよい。
【００７６】
あるいは、本発明に係る記録再生装置は、複数コンテンツの同時録画の機能を有し、テレビジョンなどのモニタに外部出力していない番組である裏番組の録画状況やコンテンツ情報を表示する記録再生装置として表現してもよい。
【００７７】
さらに、本発明に係る記録再生装置は、上記構成に加え、裏番組を録画中であることを示す発光装置を有し、当該裏番組の録画中は前記装置が点灯し、前記書誌事項中の録画状況を表示してもよい。
【００７８】
さらに、本発明に係る記録再生装置は、上記構成に加え、コンテンツの視聴や再生や録画などに関する情報を表示するモニタを有し、裏番組の録画中に、当該裏番組の録画状況やコンテンツ情報を表示してもよい。
【００７９】
さらに、本発明に係る記録再生装置は、上記構成に加え、前記記録再生装置は、コンテンツの視聴や再生や録画などに関する情報を表示するＯＳＤ（Ｏｎ Ｓｃｒｅｅｎ  Ｄｉｓｐｌａｙ）を表示する機能を有し、裏番組の録画中に当該裏番組の録画状況やコンテンツ情報をＯＳＤに表示してもよい。
【００８０】
さらに、本発明に係る記録再生装置は、上記構成に加え、裏番組の録画中の操作をする機能を有し、当該裏番組とは別のコンテンツ視聴中や録画中においても、ＴＶなどのモニタに当該裏番組を出力させることなく操作できてもよい。
【産業上の利用可能性】
【００８１】
本発明は、複数のコンテンツを同時に記録することができる記録装置、記録再生装置などに適用できる。レコーダだけでなく同時録画可能なパーソナルコンピュータなどにも利用することができる。
【図面の簡単な説明】
【００８２】
【図１】本発明の一実施形態を示すものであり、記録装置の要部構成を示すブロック図である。
【図２】上記記録装置を備えた記録再生装置の外観を示す図である。
【図３】上記記録再生装置のＬＥＤ部を詳しく示した図である。
【図４】上記記録再生装置のパネル部を詳しく示した図である。
【図５】ＯＳＤ領域に表示される番組情報の一例を示す図である。
【図６】ＯＳＤ領域に表示される記録部情報の一例を示す図である。
【符号の説明】
【００８３】
１０１  記録装置
１０２  放送受信部
１０３  システム制御部
１１３  記録制御部（記録制御手段）
１２３  記録状況情報取得部（記録状況情報取得手段）
１３３  記録状況表示制御部（記録状況表示制御手段）
１０４  記録部
１０５  ＯＳＤ生成部
１０６  映像処理部（表示出力手段）
１０７  ＬＥＤ
１０８  フロントパネル（表示モニタ）
２０２  テレビジョン（外部の表示装置）
２０２  記録再生装置
２０３  リモコン
３０１  視聴中の放送を示すＬＥＤ
３０２  視聴番組録画を示すＬＥＤ
３０３  裏番組録画を示すＬＥＤ
４０１  録画開始時の表示
４０２  録画中のタイトル表示
４０３  録画中のネットワーク表示
４０４  録画中の記録時間表示
４０５  録画中の記録部における記録の残時間表示
４０６  録画終了時の表示
５０１  コンテンツＡの番組情報
５０２  コンテンツＢの番組情報
５０３  記録部情報
【図１】
0004402031.tif 000002
【図３】
0004402031.tif 000003
【図４】
0004402031.tif 000004
【図５】
0004402031.tif 000005
【図６】
0004402031.tif 000006
【図２】
0004402031.tif 000007